(57)【要約】【課題】  再生時に、記録媒体に録画した番組本編の途中に挿入されているＣＭを、簡単な操作でＣＭ毎にスキップすることができる録画装置を提供する。【解決手段】  録画装置１は、受信部３で受信している番組をＤＶＤ１０に録画しているとき、番組本編については第２の時間でチャプタを区切り、番組本編の途中に挿入されているＣＭについては、第１の時間でチャプタを区切る。また、この第１の時間は、通常のＣＭの長さである１５秒である。このため、番組本編に挿入されているＣＭ毎に、その開始位置をチャプタで区切って、録画することができる。【選択図】  図１
2007042195.tif 000002
【特許請求の範囲】
【請求項１】
テレビ放送されている番組を受信する受信手段と、
前記受信手段が受信している番組をディスク形状の記録媒体に録画する録画手段と、を備えた録画装置において、
前記録画手段が番組を録画しているときに、番組本編からコマーシャルメッセージに切り換わったこと、およびコマーシャルメッセージから番組本編に切り換わったことを検知するコマーシャルメッセージ検知手段を備え、
前記録画手段は、前記コマーシャルメッセージ検知手段により番組本編からコマーシャルメッセージに切り換わったことが検知されると、前記チャプタの区切りを予め設定されている第１の時間に基づいて設定し、さらにコマーシャルメッセージから番組本編に切り換わったことが検知されると前記チャプタの区切りを前記第２の時間に基づいて設定する手段であり、
前記コマーシャルメッセージ検知手段は、前記受信手段で受信している番組について音声信号の変化を検知することにより、番組本編からコマーシャルメッセージに切り換わったこと、およびコマーシャルメッセージから番組本編に切り換わったことを検知する手段であり、
さらに、前記第１の時間は、１５秒である録画装置。
【請求項２】
テレビ放送されている番組を受信する受信手段と、
前記受信手段が受信している番組をディスク形状の記録媒体に録画する録画手段と、を備えた録画装置において、
前記録画手段が番組を録画しているときに、番組本編からコマーシャルメッセージに切り換わったこと、およびコマーシャルメッセージから番組本編に切り換わったことを検知するコマーシャルメッセージ検知手段を備え、
前記録画手段は、前記コマーシャルメッセージ検知手段により番組本編からコマーシャルメッセージに切り換わったことが検知されると、前記チャプタの区切りを予め設定されている第１の時間に基づいて設定し、さらにコマーシャルメッセージから番組本編に切り換わったことが検知されると前記チャプタの区切りを前記第２の時間に基づいて設定する手段である録画装置。
【請求項３】
前記コマーシャルメッセージ検知手段は、前記受信手段で受信している番組について音声信号の変化を検知することにより、番組本編からコマーシャルメッセージに切り換わったこと、およびコマーシャルメッセージから番組本編に切り換わったことを検知する手段である請求項２に記載の録画装置。
【請求項４】
前記第１の時間は、１５秒である請求項２または３に記載の録画装置。
【発明の詳細な説明】
【技術分野】
【０００１】
この発明は、テレビ放送されている番組をＤＶＤ等のディスク形状の記録媒体に録画する録画装置に関する。
【背景技術】
【０００２】
従来、テレビ放送されている番組を受信し、これをＤＶＤ（ディジタルバーサタイルディスク）やＨＤ（ハードディスク）等のディスク形状の記録媒体に録画する録画装置が広く一般に普及している。この種の録画装置では、番組をチャプタで区切って記録媒体に録画している。各チャプタの開始位置は、再生時にスキップする位置（スキップ位置）として直接指定することができる。すなわち、ユーザは、記録媒体に録画した番組の再生時に、簡単な操作で、再生位置をいずれかのチャプタの開始位置にスキップさせることができる。従来の一般的な録画装置は、チャプタを、予め定められた時間、例えば１０分、や１５分、単位で区切りながら、番組をディスク形状の記録媒体に録画している。
【０００３】
また、殆どのテレビ局が、番組本編の途中にコマーシャルメッセージ（以下、ＣＭと言う。）を挿入した形で番組の放送を行っていることから、番組本編の途中に挿入されているＣＭについては記録媒体に録画せず、さらにＣＭから番組本編に切り換わる位置をチャプタの開始位置として記録媒体に録画する録画装置が提案されている（特許文献１参照）。この録画装置では、番組本編の途中に挿入されているＣＭが記録媒体に録画されないので、記録媒体を有効に利用できる。また、上述のようにＣＭについては記録媒体に録画されないので、再生時にＣＭを早送りする等の操作を行う必要もなく、番組本編のみを連続して再生することができる。また、番組のシーンがＣＭの前後で変化することが多く、ユーザが再生時にスキップ位置として指定するチャプタの区切りとしても適当である。
【０００４】
なお、特許文献１には、番組本編の途中に挿入されているＣＭを記録媒体に録画してもよいとも記載されている。この場合にも、ＣＭから番組本編に切り換わる位置をチャプタの開始位置として記録媒体に録画するので、再生時に簡単な操作でＣＭをスキップすることができる。
【特許文献１】特開２０００−３５４２２５号公報
【発明の開示】
【発明が解決しようとする課題】
【０００５】
しかしながら、特許文献１に記載されている装置は、番組本編の途中に挿入されているＣＭが全てユーザにとって不要なものであるという考えに基づくものであった。このため、番組本編の途中に挿入されているＣＭを記録媒体に録画しない方式では、番組本編の途中に挿入されているＣＭの中に、ユーザにとって有用なＣＭがあっても、記録媒体に録画されていないので、ユーザはこの自分にとって有用なＣＭを視聴し、このＣＭから情報を得ることができないという問題があった。
【０００６】
また、番組本編の途中に挿入されているＣＭを記録媒体に録画する方式を採用すれば、ユーザは、録画されたＣＭを再生することで、自分にとって有用なＣＭを視聴し、このＣＭから情報を得ることができるのであるが、ユーザにとって有用なＣＭは記録媒体に録画された複数のＣＭの中の一部である。また、記録媒体に録画されたＣＭの中にユーザにとって有用なＣＭがないこともある。そして、ユーザは、再生する前に、自分にとって有用なＣＭが録画されているかどうかを判断することはできない。すなわち、録画されているＣＭを１つずつ確認しなければ、自分にとって有用なＣＭが録画されているかどうか分からなかった。しかし、従来の装置では、簡単な操作でＣＭを１つずつスキップさせることができず、記録媒体に録画されているＣＭを確認するときに、早送りや巻き戻しを繰り返し行うこととなり、自分にとって有用なＣＭが録画されているかどうかを確認するときの操作性が良くないという問題があった。
【０００７】
この発明の目的は、再生時に、記録媒体に録画した番組本編の途中に挿入されているＣＭを、簡単な操作でＣＭ毎にスキップさせることができる録画装置を提供することにある。
【課題を解決するための手段】
【０００８】
この発明の録画装置は、上記課題を解決するために以下の構成を備えている。
【０００９】
（１）テレビ放送されている番組を受信する受信手段と、
前記受信手段が受信している番組をディスク形状の記録媒体に録画する録画手段と、を備えた録画装置において、
前記録画手段が番組を録画しているときに、番組本編からコマーシャルメッセージに切り換わったこと、およびコマーシャルメッセージから番組本編に切り換わったことを検知するコマーシャルメッセージ検知手段を備え、
前記録画手段は、前記コマーシャルメッセージ検知手段により番組本編からコマーシャルメッセージに切り換わったことが検知されると、前記チャプタの区切りを予め設定されている第１の時間に基づいて設定し、さらにコマーシャルメッセージから番組本編に切り換わったことが検知されると前記チャプタの区切りを前記第２の時間に基づいて設定する手段である。
【００１０】
この構成では、受信手段においてテレビ放送されている番組が受信され、録画手段によりこの番組がディスク形状の記録媒体、ＤＶＤやＨＤ等、に録画される。コマーシャルメッセージ検知手段により、番組本編からコマーシャルメッセージに切り換わったこと、およびコマーシャルメッセージから番組本編に切り換わったことが検知される。このコマーシャルメッセージ検知手段は、例えば予め設定されている音声モードであれば番組本編であるとし、それ以外の音声モードであればコマーシャルメッセージであるとする構成であってもよいし、また音声レベルの変化からコマーシャルメッセージと番組本編とを区別する構成であってもよいし、さらに音声モードが一定である時間を計測し、この時間からコマーシャルメッセージと番組本編とを区別する構成であってもよい。このように、コマーシャルメッセージ検知手段において、受信手段が受信している番組について、番組本編であるか、コマーシャルメッセージであるかを区別することができる。録画手段は、受信手段において番組本編の途中に挿入されているコマーシャルメッセージを受信しているときには、チャプタの区切りを第１の時間とし、受信手段において番組本編を受信しているときには、チャプタの区切りを第２の時間として、記録媒体に録画する。この第１の時間、および第２の時間は予め設定されている。第１の時間は、コマーシャルメッセージ毎に、その開始位置がチャプタで区切られる時間に設定される。具体的には、テレビ放送におけるコマーシャルメッセージは、通常１５秒であることから、この第１の時間は１５秒に設定するのが好ましい。一方、第２の時間は、１０分、や１５分等の固定的な時間であってもよいし、ユーザが任意に設定できるようにしてもよい。
【００１１】
これにより、記録媒体に録画された番組においては、番組本編に挿入されているコマーシャルメッセージの中で、番組本編から切り換わった最初のコマーシャルメッセージ以外のコマーシャルメッセージについては、その開始位置がチャプタで区切られる。また、番組本編から切り換わった最初のコマーシャルメッセージの開始位置についても、チャプタの区切りに設定してもよい。したがって、簡単な操作で、現在再生中のコマーシャルメッセージから、このコマーシャルメッセージに連続して録画されている次のコマーシャルメッセージの開始位置、またはこのコマーシャルメッセージに連続して録画されている番組本編の開始位置に、スキップさせることができる。すなわち、再生時には、番組本編に挿入されているコマーシャルメッセージ毎にスキップさせることができる。これにより、ユーザは、記録媒体に録画した番組本編の途中に挿入されているコマーシャルメッセージの中に、自分にとって有用なＣＭがあるかどうかの確認や、自分にとって有用であることを確認したコマーシャルメッセージの視聴が簡単な操作で行える。また、自分にとって有用でないことを確認したコマーシャルメッセージについては、簡単にスキップできる。
【００１２】
（２）前記コマーシャルメッセージ検知手段は、前記受信手段で受信している番組について音声信号の変化を検知することにより、番組本編からコマーシャルメッセージに切り換わったこと、およびコマーシャルメッセージから番組本編に切り換わったことを検知する手段である。
【００１３】
この構成では、装置本体を複雑にすることなく、番組本編からコマーシャルメッセージに切り換わったこと、およびコマーシャルメッセージから番組本編に切り換わったことを検知することができ、装置本体のコストアップが抑えられる。
【００１４】
（３）前記第１の時間は、１５秒である。
【００１５】
上述したように、テレビ放送されている番組の途中に挿入されているコマーシャルメッセージの多くは、１５秒であるので、この構成では、番組の途中に挿入されているコマーシャルメッセージの開始位置を略確実にチャプタで区切ることができる。
【発明の効果】
【００１６】
この発明によれば、ユーザは、記録媒体に録画した番組本編の途中に挿入されているコマーシャルメッセージの中に、自分にとって有用なＣＭがあるかどうかの確認や、自分にとって有用であることを確認したコマーシャルメッセージの視聴が簡単な操作で行える。また、自分にとって有用でないことを確認したコマーシャルメッセージについては、簡単にスキップできる。
【発明を実施するための最良の形態】
【００１７】
以下、この発明の実施形態である録画装置について詳細に説明する。
【００１８】
図１は、この発明の実施形態である録画装置の主要部の構成を示すブロック図である。この実施形態の録画装置１は、本体の動作を制御する制御部２と、テレビ放送の放送波を受信する受信部３と、上記受信部３で受信した放送波による映像、および音声を本体にセットされているＤＶＤ１０（ディジタルバーサタイルディスク）に記録（録画）するとともに、ＤＶＤ１０に記録されているデータ（録画データ）を読み取って再生する記録／再生部４と、記録／再生部４で再生された再生信号を出力する出力部５と、本体に対して入力操作を行う操作部５と、を備えている。受信部３は、選択されているチャンネルで放送されているテレビ放送信号を抽出する公知のチューナを有している。このテレビ放送信号には、放送している番組またはコマーシャルメッセージ（以下、ＣＭと言う。）の映像や音声等が含まれている。受信部３は、抽出した選択されているチャンネルのテレビ放送信号を映像信号、音声信号に分離し、記録再生部４に入力する。記録再生部４は、受信部３から入力された映像信号、および音声信号をエンコードし、ビデオストリーム、およびオーディオストリームを得る。そして、これらを所定の単位でパケット化し、多重化したシステムストリームを得る。映像信号、および音声信号のエンコードは、例えばＭＰＥＧで行われる。記録／再生部４は、このシステムストリームをＤＶＤ１０に記録（録画）する。記録／再生部４は、レーザ光をＤＶＤ１０に照射するピックアップヘッドを有し、多重化したシステムストリームに基づいてピックアップヘッドからＤＶＤ１０に照射するレーザ光を制御することにより、受信部３で受信した映像および音声をこのＤＶＤ１０に録画する。また、記録／再生部４は、システムストリームをＤＶＤ１０に記録しているときに、各チャプタの開始位置（ＤＶＤ１０における記録アドレス）を示す情報（再生メニュー情報）を生成している。この再生メニュー情報は、ＤＶＤ１０の所定の領域（リードイン領域）に記録される。チャプタは、予め設定されている第１の時間、または第２の時間で区切られる。チャプタの区切り方については、後述する。
【００１９】
また、記録／再生部４は、記録時よりも低パワーのレーザ光をＤＶＤ１０に照射し、その反射光をＤＶＤ１０に録画されている番組の映像、および音声のシステムストリームとして検出する読取も行える。さらに、記録／再生部４は、ＤＶＤ１０から読み取ったシステムストリームをビデオストリーム、およびオーディオストリームに分離するとともに、これらをデコードして出力する。出力部５は、記録／再生部４でデコードされた映像、および音声を、接続されている表示装置（不図示）やスピーカ（不図示）に応じた信号に変換し、出力する。さらに、操作部６は、装置本体に設けられた操作キーを有するとともに、図示していないリモコン装置から送信されてきた装置本体に対する制御信号を受信するリモコン受信部を有している。また、受信部３で受信した番組を録画するＤＶＤ１０は、装置本体に対して着脱自在である。
【００２０】
なお、この実施形態の録画装置１は、周知の予約録画機能により番組をＤＶＤ１０に録画することができる。予約録画にかかる、予約録画開始時間、予約録画終了時間等の設定は操作部６またはリモコン装置で行える。また、所定の入力操作（録画キーの操作）を行うことで、その時点で受信部３が受信しているチャンネルで放送されている番組、またはコマーシャルメッセージ（以下、単にＣＭと言う。）をＤＶＤ１０に録画するワンタッチ録画機能も有している。
【００２１】
周知のように、殆どのテレビ局は番組本編の途中にＣＭを挿入して番組を放送している。また、放送波の音声信号には、ステレオ放送、２カ国語放送、モノラル放送等、音声モードを示す情報が含まれている。この実施形態の録画装置１は、受信部３で受信した放送波の音声信号の変化から受信している放送波が番組本編であるか、ＣＭであるかを検出する機能を有している。例えば、予め番組本編の音声モードを設定しておき、設定されている音声モードである放送波を番組本編とし、それ以外の放送波をＣＭとして検出する機能を有している。上述したように放送波の音声信号には上記音声モードを示す情報が含まれているので、この情報を読み取ることで受信部３で受信している放送波の音声モードを検出することができる。
【００２２】
また、番組本編とＣＭとの間や、ＣＭとＣＭとの間には無音区間があることを利用し、音声レベルの変化、すなわち無音区間を検出し受信部３で受信した放送波からＣＭを検出する構成としてもよい。さらに、ＣＭの放送時間が番組本編の連続放送時間よりも短いことから、音声モードの変化および音声モードが一定である（変化しなかった）時間を計測し、これらの情報に基づいて受信部３で受信した放送波からＣＭを検知する構成としてもよい。
【００２３】
なお、上記の構成を組み合わせて受信部３で受信している放送波が番組本編であるか、ＣＭであるかを検出するように構成してもよい。
【００２４】
ここで、この実施形態の録画装置１におけるチャプタの区切り方について説明する。この実施形態の録画装置１は、受信部３で受信している番組をＤＶＤ１０に録画しているとき、予め設定されている第１の時間、または第２の時間でチャプタを区切る。録画装置１は、番組の途中に挿入されているＣＭを受信しているときは、第１の時間でチャプタを区切り、番組本編を受信しているときは、第２の時間でチャプタを区切る。この第１の時間は、テレビ放送におけるＣＭが通常１５秒であることから、１５秒に固定されている。一方、第２の時間は、ユーザが操作部６またはリモコン装置において所定の入力操作を行うことで、自由に設定することができる。第２の時間は、例えば１０分や１５分に設定される。この第１の時間、および第２の時間については、制御部２に設けられているメモリに記憶される。
【００２５】
但し、番組本編からＣＭに切り換わったときには、この第１の時間、および第２の時間に関係なく、チャプタを強制的に区切る。具体的に言うと、番組本編からＣＭに切り換わると、この番組本編からＣＭに切り換わった位置を強制的にチャプタの区切り位置として設定する。そして、これ以降、ＣＭが連続している間は第１の時間でチャプタを区切る。上述したように、テレビ放送におけるＣＭが通常１５秒であることから、各ＣＭの開始位置がチャプタの区切り位置になる。録画装置１は、ＣＭから番組本編に切り換わると、第２の時間でチャプタを区切る。
【００２６】
なお、ＣＭから番組本編に切り換わった位置についても、強制的にチャプタの区切り位置としてもよいが、この時点ではチャプタを１５秒で区切っており、また１つのＣＭが１５秒であることから、この位置については、特別な処理を行わなくても、殆どの場合チャプタの区切り位置になる。
【００２７】
また、この実施形態の録画再生装置１は、ＤＶＤ１０に録画されている番組を再生しているときに、チャプタスキップにかかる入力操作が行われると、その時点における再生位置から、次のチャプタの区切り位置、すなわち次のチャプタの開始位置、にスキップし、ここから再生を再開するチャプタスキップ機能を有している。
【００２８】
以下、この発明の実施形態である録画装置１の動作について説明する。
【００２９】
まず、この録画装置１における録画処理について説明する。図２は、この発明の実施形態である録画装置における録画処理を示すフローチャートである。この録画処理は、録画予約されている番組の録画開始時刻となったとき、または操作部６またはリモコン装置の録画キーが操作されたときに開始される。録画装置１は、このとき、指定されているチャンネルの放送波を受信部３で受信している。指定されているチャンネルとは、録画予約機能による録画の場合であれば、録画予約されていたチャンネルであり、録画キーの操作による録画の場合には、その時点において受信部３で受信していたチャンネルである。
【００３０】
録画装置１は、チャプタを区切る時間を第２の時間に設定する（ｓ１）。録画装置１は、受信部３で受信しているチャンネルのテレビ放送信号に基づく番組の録画を開始する（ｓ２）。ｓ２では、受信部３において、受信しているチャンネルのテレビ放送信号を映像信号、音声信号に分離し、記録再生部４に入力する。記録再生部４では、受信部３から入力された映像信号、および音声信号をエンコードし、ビデオストリーム、およびオーディオストリームを得る。そして、これらを所定の単位でパケット化し、多重化したシステムストリームを得、このシステムストリームをＤＶＤ１０に記録する処理を開始する。ＤＶＤ１０へのシステムストリームの記録については公知であるので、ここでは説明を省略する。また、録画装置１は、ＤＶＤ１０への番組の録画に先立って、公知のＯＰＣを行っており、録画時にＤＶＤ１０に照射するレーザ光の最適パワーを得ている。録画装置１は、ｓ２で番組の録画開始すると、番組本編から、ＣＭに切り換わるか（ｓ３）、チャプタの区切り位置になるか（ｓ４）、録画終了タイミングになるのを待つ（ｓ５）。ｓ３では、上述したように、受信している放送波における音声信号の変化から、番組本編からＣＭに切り換わったことを検知する。また、ｓ４では、前回のチャプタの区切りから第２の時間経過したときに、チャプタの区切り位置になったと判定する。録画装置１は、ｓ４でチャプタの区切り位置になったと判定すると、この位置をチャプタの区切り位置に設定し（ｓ１１）、ｓ３に戻り上記処理を繰り返す。ｓ１１では、今回チャプタを区切った位置、すなわちチャプタの開始位置（ＤＶＤ１０における記録アドレス）を示す情報（再生メニュー情報）を生成する。また、ｓ５では、録画予約により録画しているときには、この録画予約における番組の録画終了時刻になったときに、録画終了タイミングになったと判定する。また、操作部６、またはリモコン装置に設けられている録画終了キーが操作されたときに、録画終了タイミングになったと判定する。録画装置１は、ｓ５で録画終了タイミングになったと判定すると、ＤＶＤ１０への番組の録画を停止し（ｓ１２）、今回の番組の録画において生成した再生メニュー情報をＤＶＤ１０の所定の記録領域、通常リードイン領域、に記録し（ｓ１３）、本処理を終了する。
【００３１】
さらに、録画装置１は、ｓ３で番組本編からＣＭに切り換わったと判定すると、この番組本編からＣＭに切り換わった位置をチャプタの区切り位置に設定する（ｓ６）。ｓ６では、今回チャプタを区切った位置、すなわちチャプタの開始位置（ＤＶＤ１０における記録アドレス）を示す情報（再生メニュー情報）を生成する。録画装置１は、ｓ６で番組本編からＣＭに切り換わった位置をチャプタの区切り位置に設定すると、チャプタを区切る時間を第２の時間から、第１の時間（ここでは、１５秒）に変更する（ｓ７）。テレビ放送におけるＣＭは、殆どが１５秒である。録画装置１は、ｓ７でチャプタを区切る時間を１５秒に設定すると、ＣＭから番組本編に切り換わるか（ｓ８）、チャプタの区切り位置になるか（ｓ９）、録画終了タイミングになるのを待つ（ｓ１０）。ｓ９、およびｓ１０は、それぞれｓ４、ｓ５と同じ処理である。但し、ｓ９では、前回のチャプタの区切りから第１の時間（ここでは、１５秒）経過したときに、チャプタの区切り位置になったと判定する。
【００３２】
録画装置１は、ｓ８でＣＭから番組本編に切り換わったと判定すると、チャプタを区切る時間を第１の時間から、第２の時間に変更し（ｓ１４）、ｓ３に戻って、上記処理を繰り返す。また、ｓ９でチャプタの区切り位置になったと判定すると、この位置をチャプタの区切り位置に設定し（ｓ１５）、ｓ８に戻って、上記処理を繰り返す。ｓ１５にかかる処理は、ｓ１１と同じである。さらに、ｓ１０で録画終了タイミングであると判定すると、上述したｓ１２、ｓ１３にかかる処理を実行し、本処理を終了する。
【００３３】
このように、この実施形態の録画装置１は、テレビ放送されている番組を、番組本編については第２の時間でチャプタを区切り、ＣＭについては第１の時間でチャプタを区切って、ＤＶＤ１０に録画する。すなわち、ＤＶＤ１０に録画された番組は、図３に示すように、番組本編については第２の時間、例えば１０分、でチャプタが区切られる。図３に示す点Ｘが番組本編における、チャプタの区切り位置である。また、ＣＭについては第１の時間、ここでは１５秒、でチャプタが区切られている。さらに、番組本編からＣＭに切り換わった位置（図３に示すＡ点）もチャプタで区切られているとともに、ＣＭから番組本編に切り換わった位置（図３に示すＥ点）もチャプタで区切られている。図３に示すＢ，Ｃ、Ｄ点は、それぞれＣＭの開始位置であり、これらの位置もそれぞれチャプタの区切り位置に設定されている。この図３にＣＭ期間においては、Ａ、Ｂ，Ｃ、Ｄの４点がＣＭの開始位置である。このように、番組の途中に挿入されているＣＭについては、第１の時間、すなわち１５秒単位でチャプタを区切る構成としたので、図３に示すようにＣＭ毎にチャプタで区切って、ＤＶＤ１０に録画することができる。チャプタで区切った位置の情報は、再生メニュー情報としてＤＶＤ１０の所定の記録領域（リードイン領域）に記録される。
【００３４】
次に、この録画装置１における再生処理について説明する。図４は、この実施形態の録画装置における再生処理を示すフローチャートである。録画装置１は、操作部６またはリモコン装置に設けられている再生キーが操作されると、この処理を開始する。録画装置１は、記録／再生部４において、本体にセットされているＤＶＤ１０に記録されている番組の中で、今回指定された番組について再生を開始する（ｓ２１）。このとき、録画装置１は、再生する番組について、再生メニュー情報を読み取っており、この再生する番組におけるチャプタの区切り位置を得ている。ＤＶＤ１０に記録されている番組の再生は、記録／再生部４がＤＶＤ１０に記録されているシステムストリームを読み取り、読み取ったシステムストリームからビデオストリーム、およびオーディオストリームを得る。そして、このビデオストリーム、およびオーディオストリームをデコードし、出力部５に入力する。出力部５は、記録／再生部４でデコードされたビデオストリーム、およびオーディオストリームを、接続されている表示装置（不図示）やスピーカ（不図示）に応じた信号に変換し、出力する。
【００３５】
録画装置１は、ｓ２１で再生を開始すると、装置本体に対する入力があるのを待つ（ｓ２２）。録画装置１は、ｓ２２で装置本体に対する入力があると、今回の入力がチャプタスキップにかかる入力であれば（ｓ２３）、再生位置を現在の再生位置から次のチャプタの開始位置にスキップし（ｓ２４）、ここから再生を再開する（ｓ２５）。例えば、図３に示すＡ点を再生した直後に、チャプタスキップにかかる入力があると、再生位置を図３に示すＢ点にスキップし、再生を再開する。また、図３に示すＣ点を再生した直後に、チャプタスキップにかかる入力があると、再生位置を図３に示すＤ点にスキップし、再生を再開し、ｓ２２に戻る。
【００３６】
上述したように、番組をＤＶＤ１０に録画するときに、番組の途中に挿入されているＣＭ毎に、その開始位置をチャプタで区切って録画しているので、ユーザは、再生時にチャプタスキップにかかる操作を行うことで、ＣＭ毎にスキップできる。したがって、ユーザは、ＤＶＤ１０に録画した番組本編の途中に挿入されているＣＭの中に、自分にとって有用なＣＭがあるかどうかの確認や、自分にとって有用であることを確認したＣＭの視聴が簡単な操作で行える。
【００３７】
また、録画装置１は、チャプタスキップにかかる入力でなく、再生の停止にかかる入力であると判定すると（ｓ２６）、再生を停止し（ｓ２７）、本処理を終了する。さらに、再生の停止にかかる入力でもなければ、その入力に応じた処理（その他の処理）を行う（ｓ２８）。ｓ２８で実行するその他の処理としては、再生の一時停止、一時停止の解除、等がある。
【００３８】
なお、上記実施形態では、番組をＤＶＤ１０に録画する録画装置を例にして本願発明を説明したが、ハードディスク（ＨＤ）等の他のランダムアクセス可能な記録媒体に番組を録画する録画装置であれば、本願発明を適用することができる。
【図面の簡単な説明】
【００３９】
【図１】この発明の実施形態である録画装置の主要部の構成を示すブロック図である。
【図２】この発明の実施形態である録画装置の録画処理を示すフローチャートである。
【図３】この発明の実施形態である録画装置によりＤＶＤに録画された番組におけるチャプタの区切りを説明する図である。
【図４】この発明の実施形態である録画装置の再生処理を示すフローチャートである。
【符号の説明】
【００４０】
１−録画装置
２−制御部
３−受信部
４−記録／再生部
５−出力部
６−操作部
１０−ＤＶＤ
【図１】
2007042195.tif 000003
【図２】
2007042195.tif 000004
【図３】
2007042195.tif 000005
【図４】
2007042195.tif 000006